(57)【特許請求の範囲】
【請求項１】
記録媒体からこの記録媒体に記録された記録データを読み出す読み出し手段と、
この読み出し手段によって上記記録媒体から読み出された記録データを記憶する記憶手段と、
この記憶手段からこの記憶手段に記憶された記録データを読み出して出力する出力手段と、
上記記憶手段に記憶された記録データの記憶量が第一の記憶量となった後に上記記憶手段からこの記憶手段に記憶された記録データを読み出して出力を開始するように上記出力手段を制御し、上記記録媒体から上記読み出し手段によって読み出されて上記記憶手段に記憶される記録データの記憶量が第一の記憶量となるまでに、上記読み出し手段による上記記録媒体からの記録データの読み出しにリトライが発生した場合には、上記出力手段が上記記憶手段からこの記憶手段に記憶された記録データを読み出して出力を開始するための基準となる上記第一の記憶量をこの第一の記憶量よりも大きい第二の記憶量に変更する制御手段と
を備える再生装置。
【請求項２】
記録媒体からこの記録媒体に記録された記録データを読み出す読み出し手段と、
この読み出し手段によって上記記録媒体から読み出された記録データを記憶する記憶手段と、
この記憶手段からこの記憶手段に記憶された記録データを読み出して出力する出力手段と、
上記記憶手段に記憶された記録データの記憶量が第一の記憶量となった後に上記記憶手段からこの記憶手段に記憶された記録データを読み出して出力を開始するように上記出力手段を制御し、上記読み出し手段による上記記録媒体からの記録データの読み出しが開始されてから所定の時間内に、上記読み出し手段による上記記録媒体からの記録データの読み出しにリトライが発生した場合には、上記出力手段が上記記憶手段からこの記憶手段に記憶された記録データを読み出して出力を開始するための基準となる上記第一の記憶量をこの第一の記憶量よりも大きい第二の記憶量に変更する制御手段と
を備える再生装置。
【請求項３】
請求項１に記載の再生装置において、
上記再生手段から再生される記録データをミュートするミュート手段を備え、
上記制御手段は、上記再生手段が上記記憶手段から上記記憶手段に記憶された記録データを読み出して再生を開始するまで上記記録データの出力を停止するように上記ミュート手段を制御する
ことを特徴とする再生装置。
【請求項４】
請求項１に記載の再生装置において、
上記リトライを、上記記録媒体から読み出された記録データのエラー訂正の状態に基づいて行う
ことを特徴とする再生装置。
【発明の詳細な説明】
【０００１】
【発明の属する技術分野】
この発明は、ディスク再生装置に関する。
【０００２】
【従来の技術】
デジタルオーディオ信号などの記録媒体として、「ミニディスク」と呼ばれる小型の光ディスクが知られている。この光ディスクには、再生専用のものと、オーディオ信号を光磁気方式により記録し再生できるものとがあるが、記録再生用の光ディスクにより、その概要を説明すると、次のとおりである。
【０００３】
すなわち、記録時には、入力されたアナログオーディオ信号が、サンプリング周波数44.1ｋHzで、量子化ビット数16ビットのデジタルオーディオデータにＡ／Ｄ変換され、このデジタルオーディオデータは、所定の期間分ずつ順にブロック化されるとともに、そのブロックを単位としてほぼ１／５の大きさにデータ圧縮される。このデータ圧縮の方法は、人間の聴覚特性を考慮してＤＣＴとウインドウ関数とを組み合わせたものであり、ＭＤＣＴと呼ばれている。なお、以下、そのデータ圧縮のブロックを「サウンドグループ」と呼ぶ。
【０００４】
そして、その圧縮されたオーディオデータにエラー訂正のためのエンコード処理および記録のための変調処理などが行われ、これらの処理の行われたオーディオデータが、磁気ヘッドおよびレーザービームにより、ディスクの内周から外周に向かうらせん状のトラックに光磁気記録される。
【０００５】
図４は、ディスクに記録される信号のうち、圧縮処理後のデジタルオーディオデータのフォーマットを示すもので、オーディオデータは、クラスタＣN、ＣN+1、ＣN+2、…の順番に分配されている。そして、各クラスタは、36個のセクタＬ2〜Ｌ4、Ｓ0〜Ｓ31、Ｌ1から構成され、セクタＳ0〜Ｓ31にそのデジタルオーディオデータが記録される。また、セクタＬ2〜Ｌ4、Ｌ1は、「リンキングセクタ」と呼ばれ、クラスタＣNの前後に続くクラスタＣN-1、ＣN+1との接続用である。なお、ディスクに対する記録は、１クラスタを単位として行われる。
【０００６】
そして、各セクタの大きさは2352バイトとされるとともに、オーディオ用のセクタＳ0〜Ｓ31は、それぞれ、その先頭の20バイトがヘッダとされ、残る2332バイトが424バイトずつ5.5個のブロックに分割される。このブロックが上記のサウンドグループである。なお、このとき、連続する偶数番目および奇数番目のセクタを１組とし、偶数番目のセクタの最後の0.5サウンドグループと、奇数番目のセクタの最初の0.5サウンドグループとで、１つのサウンドグループとされる。
【０００７】
そして、１サウンドグループは、ステレオの左および右チャンネルのデジタルオーディオデータを、データ圧縮された状態で全部で512サンプル分ずつ有する。したがって、１サウンドグループの時間長は、
512サンプル／44.1ｋHz≒11.61ｍ秒
となり、各チャンネルのデータ圧縮率は、
424バイト／（16ビット×512サンプル×２チャンネル）≒１／4.8倍
となり、上記のように約１／５のデータ圧縮となる。
【０００８】
そして、このようなフォーマットの信号に記録用のエンコード処理がされてから光ディスクにトラックとして記録されている。
【０００９】
なお、上述の光ディスクの再生は、記録時と相補の処理を行えばよい。すなわち、光ピックアップによりディスクのトラックから信号を光学的に再生し、その再生信号からデータ圧縮されたデジタルオーディオデータを取り出してエラー訂正し、そのエラー訂正のされたデジタルオーディオデータをデータ伸長してからＤ／Ａ変換する。そのようにすれば、もとのアナログオーディオ信号を得ることができる。
【００１０】
【発明が解決しようとする課題】
ところで、上記の光ディスクを使用するディスクプレーヤ（あるいは記録再生装置）において、その光ディスクに汚れや振動などがあると、ディスクからの信号の読み出しに失敗し、その結果、デジタルオーディオデータに欠けを生じて再生音に音切れを生じてしまうことがある。
【００１１】
そこで、実際のディスクプレーヤにおいては、以下のようにして、そのような音切れを防止するようにしている。すなわち、まず、ディスクから信号の読み出し（再生）を行うとき、その読み出されたに含まれるデジタルオーディオデータ、つまり、データ伸長前のデジタルオーディオデータのビットレイト（ビットの速度）が、データ伸長後のデジタルオーディオデータのビットレイトに例えば等しくなるようにしておく。
【００１２】
すると、ディスクから信号の読み出しを行うとき、すべてが正常であれば、ディスクの回転周期を単位として同じデジタルオーディオデータが約５回ずつ繰り返し得られることになり、そのうちの１回分のデジタルオーディオデータを有効に使用すればよいことになる。
【００１３】
さらに、ディスクプレーヤの再生系には、図３に模式的に示すように、リングバッファRBUFを設ける。そして、このリングバッファRBUFに、エラー訂正後であってデータ伸長前のデジタルオーディオデータを、斜線で示すように順に書き込んでいくとともに、このとき、その書き込みアドレスＡWRを、所定の速度、つまり、正常時（定常時）であれば、記録時のデータ圧縮後のデジタルオーディオデータのビットレイトに対応した速度で、増加方向に変更していく。
【００１４】
なお、この場合、その書き込みは、セクタ単位で行う。また、実際には、書き込みポインタが用意され、その書き込みポインタの指定するアドレスから１セクタ分のエリアにわたってデジタルオーディオデータが書き込まれる。そして、このことは読み出しについても同様とする。
【００１５】
また、この書き込みと同時に、リングバッファRBUFから、これに書き込まれているデジタルオーディオデータを読み出すとともに、このとき、その読み出しアドレスＡRDを、増加方向に変更する。そして、この読み出したデジタルオーディオデータをデータ伸長し、その後、アナログオーディオ信号にＤ／Ａ変換する。
【００１６】
なお、この読み出しはセクタ単位で行う。また、このとき、読み出しが連続して実行されても、定常状態では、リングバッファRBUFにおけるデジタルオーディオデータのデータ量（斜線部分の大きさ）が、常に規定量に保持されるように、その書き込みが制御される。
【００１７】
したがって、ディスクからの信号の読み出しに失敗し、その結果、リングバッファRBUFに対するデジタルオーディオデータの書き込みができなくなっても、リングバッファRBUFに対する読み出しアドレスＡRDが、書き込みアドレスＡWRに追い付くまで（斜線のエリアがなくなるまで）、再生音に音切れを生じることがない。
【００１８】
そして、この読み出しアドレスＡRDが書き込みアドレスＡWRに追い付くまでの期間に、ディスクからの信号の読み出しを何回か実行することができるので、この読み出しのリトライにより、結果としてリングバッファRBUFに書き込まれるデジタルオーディオデータを欠けのないものとすることができ、したがって、再生音に音切れを生じることがないようにできる。
【００１９】
また、このとき、ディスクの読み出し信号に含まれるデジタルオーディオデータは、データ伸長後のデジタルオーディオデータの約５倍のビットレイトとなっているので、リングバッファRBUFに対する書き込みアドレスＡWRと読み出しアドレスＡRDの間隔を、定常時には規定の大きさに保持しておくことができ、したがって、ディスクからの信号の失敗に対して常に対処することができる。
【００２０】
しかも、この場合、データ伸長前のデジタルオーディオデータをリングバッファRBUFに書き込み・読み出しすることにより音切れの防止処理を行うようにしているので、データ伸長後のデジタルオーディオデータにより同様の処理を行う場合に比べ、リングバッファRBUFの容量を約１／５にすることができる。
【００２１】
ところで、上記のようにリングバッファRBUFを使用して音切れを防止する場合、再生の開始時には、リングバッファRBUFは空なので、リングバッファRBUFにデジタルオーディオデータが書き込まれていって書き込みアドレスＡWRが所定のアドレスＡTHになるまで、リングバッファRBUFからの読み出しを待ち、デジタルオーディオデータがそのアドレスＡTHまで書き込まれたら読み出しを開始することになる。なお、以下、このアドレスＡTHを、「読み出し可能アドレスＡTH」と呼ぶ。
【００２２】
したがって、再生開始時には、再生キーを押しても、書き込みアドレスＡWRが読み出し可能アドレスＡTHに達するまで、再生音を得ることができないので、図３にアドレスＡLOとして示すように、読み出し可能アドレスＡTHはできるだけ小さいことが要求される。
【００２３】
しかし、読み出し可能アドレスＡTHを小さくすると、定常時における書き込みアドレスＡWRと読み出しアドレスＡRDとの間隔が狭くなるので、ディスクからの信号の読み出しに失敗したとき、音切れを生じやすくなってしまう。
この発明は、このような問題点を解決しようとするものである。
【００２４】
なお、上述から明らかなように、書き込みアドレスＡWRおよび読み出しアドレスＡRDは、デジタルオーディオデータの書き込みあるいは読み出しにしたがって変化するが、読み出しアドレスＷRDは一定の速度で変化するので、以下の説明においては、各アドレスあるいはアドレスエリアを、読み出しアドレスＡRDを基準とした相対アドレスで示す（したがって、読み出し可能アドレスＡTHは読み出しアドレスＡRDに対する相対アドレスであるとともに、読み出しアドレスＷRDからの大きさ（アドレス量あるいはデータ量）をも示す）。
【００２５】
【課題を解決するための手段】
この発明においては、
記録媒体からこの記録媒体に記録された記録データを読み出す読み出し手段と、
この読み出し手段によって上記記録媒体から読み出された記録データを記憶する記憶手段と、
この記憶手段からこの記憶手段に記憶された記録データを読み出して出力する出力手段と、
上記記憶手段に記憶された記録データの記憶量が第一の記憶量となった後に上記記憶手段からこの記憶手段に記憶された記録データを読み出して出力を開始するように上記出力手段を制御し、上記記録媒体から上記読み出し手段によって読み出されて上記記憶手段に記憶される記録データの記憶量が第一の記憶量となるまでに、上記読み出し手段による上記記録媒体からの記録データの読み出しにリトライが発生した場合には、上記出力手段が上記記憶手段からこの記憶手段に記憶された記録データを読み出して出力を開始するための基準となる上記第一の記憶量をこの第一の記憶量よりも大きい第二の記憶量に変更する制御手段と
を備える再生装置
とするものである。
【００２６】
【発明の実施の形態】
ここで、ディスクからの信号読み出しのリトライおよび音切れについて考えると、例えば、再生時であって、リングバッファRBUFに読み出し可能アドレスＡTHまでデジタルオーディオデータを書き込んでいる期間に、リトライが発生しなければ、読み出し可能アドレスＡTHが小さくても音切れが生じにくく、リトライが１回でも発生したときには、読み出し可能アドレスＡTHが小さいと、音切れが生じやすいと考えられる。
この発明は、このような点に基づいて上記の問題点を解決するようにしたものである。
【００２７】
［録再生装置の構成］
図１は、この発明が適用されたミニディスクの記録再生装置の一例を示す。そして、符号１はそのミニディスクで、このディスク１は、図４により説明した規格の光磁気ディスクとされているとともに、カートリッジ１Ａに収納されている。また、ディスク１には、光ビームのトラッキング制御用としてプリグルーブが形成されているとともに、このプリグルーブに絶対アドレス信号が記録されている。
【００２８】
さらに、ディスク１は、スピンドルモータ２により回転されるとともに、その回転は、サーボ制御回路５により、ディスク１の線速度が一定となるように制御される。また、ディスク１の一方の面には、カートリッジ１Ａのシャッター開口部を通じて記録用の磁気ヘッド３が対向して配置され、ディスク１の他方の面には、シャッター開口部を通じて光ピックアップ４が対向して配置される。そして、この光ピックアップ４のフォーカスおよびトラッキングが、サーボ制御回路５により制御されるとともに、ヘッド３および光ピックアップ４は、送りモータ６により、ディスク１の半径方向に移動できるようにされている。
【００２９】
また、システムコントローラ２０が設けられ、この記録再生装置の動作が管理される。このため、このシステムコントローラ２０はマイクロコンピュータにより構成され、その動作を管理するプログラムの一部として、例えば図２に示す再生開始ルーチン１００を有する。このルーチン１００の詳細については、後述するが、図２においては、簡単のため、この発明に関係する部分だけを抜粋して示すとともに、システムコントローラ２０により制御される周辺回路の実行する処理についても一緒に示している。
【００３０】
さらに、システムコントローラ２０には、イジェクトキー、再生キー、停止キー、録音キー、消去キー、電源キーなどの操作キー１０が接続されるとともに、ディスプレイ３０が接続され、このディスプレイ３０にディスク１に関する各種の情報、例えば再生中の曲の経過時間や再生中の曲のトラック番号などが表示される。
【００３１】
また、符号３１〜４２は記録再生回路を示し、この記録再生回路がシステムコントローラ２０により制御され、以下のように記録および再生が実行される。
【００３２】
［記録］
記録時には、ステレオのアナログオーディオ信号が、入力端子３１を通じてＡ／Ｄコンバータ３２に供給され、サンプリング周波数が44.1ｋHzで、量子化ビット数が16ビットのデジタルオーディオデータにＡ／Ｄ変換され、このデジタルオーディオデータが、音声圧縮エンコード／デコード回路３３に供給されてＭＤＣＴにより約１／５のデータ量にデータ圧縮される。
【００３３】
そして、このデータ圧縮されたデジタルオーディオデータは、メモリコントローラ３４によりバッファメモリ３５にいったん書き込まれるとともに、その書き込み速度の約５倍の速度で順番に読み出され、この読み出されたオーディオデータが、データエンコード／デコード回路３６に供給されて上述したセクタ構造のデータにエンコードされる。
【００３４】
そして、このエンコードされたオーディオデータが、ＥＦＭおよびＣＩＲＣエンコード／デコード回路３７に供給され、エラー検出訂正用のエンコード処理が行われるとともに、記録に適した変調処理、この例においては、ＥＦＭ（８−14変調）処理が行われる。なお、エラー検出訂正用の符号は、この例においては、ＣＤのＣＩＲＣに対してインターリーブを変更したものが使用される。また、このエンコード／デコード回路３７において、リンキングセクタＬ2〜Ｌ4、Ｌ1が付加され、上述したクラスタ構造のオーディオデータとされる。
【００３５】
そして、このオーディオデータが、ヘッド駆動回路３８を通じてヘッド３に供給され、オーディオデータで変調された磁界がディスク１に供給される。また、このとき、光ピックアップ４からのレーザービームがディスク１に照射されるとともに、磁気ヘッド３と光ピックアップ４とは、同期してディスク１の半径方向に移動される。こうして、光ピックアップ４の光の照射と、磁気ヘッド３による変調磁界とにより、ディスク１には熱磁気記録によって駆動回路３８からのオーディオデータが記録される。
【００３６】
さらに、この記録時、光ピックアップ４の検出出力が、ＲＦアンプ３９を通じてアドレスデコーダ４０に供給され、ディスク１のプリグルーブに記録されている絶対アドレス信号が抽出されてデコードされ、このデコードされた絶対アドレス信号がＥＦＭおよびＣＩＲＣエンコード／デコード回路３７に供給されてオーディオデータに挿入され、ディスク１に記録される。
【００３７】
また、この絶対アドレス信号は、システムコントローラ２０にも供給され、記録位置の認識および位置制御にも使用される。さらに、ＲＦアンプ３９の出力信号がサーボ制御回路５に供給され、ディスク１のプリグルーブの信号によりディスク１の線速度が一定となるようにサーボ制御される。
【００３８】
［再生時］
再生時には、プリグルーブの信号をサーボ制御回路５が使用して、記録時と同様にしてディスク１が記録時と等しい一定の線速度で回転させられる。
【００３９】
また、光ピックアップ４により、目的のトラックを照射したレーザー光の反射光が検出されるとともに、この検出出力がＲＦアンプ３９に供給され、例えば非点収差法によりフォーカスエラーが検出され、例えばプッシュプル法によりトラッキングエラーが検出される。そして、これらのエラー信号がサーボ制御回路５に供給されてフォーカスエラーおよびトラッキングエラーがなくなるように、光ピックアップ４が制御される。
【００４０】
さらに、ＲＦアンプ３９において、目的のトラックからの反射光の偏光角の違いが検出されて再生信号が取り出されるとともに、この再生信号が２値化されてＥＦＭおよびＣＩＲＣエンコード／デコード回路３７に供給される。
【００４１】
そして、ＥＦＭおよびＣＩＲＣエンコード／デコード回路３７においては、再生信号がＥＦＭ復調されるとともに、エラー訂正が行われてデジタルオーディオデータが取り出され、このデジタルオーディオデータがデータエンコード／デコード回路３６に供給されてもとの圧縮された状態のデジタルオーディオデータにデコードされる。そして、さらに、このデコードされたデジタルオーディオデータが、メモリコントローラ３４を通じてバッファメモリ３５に間欠的に書き込まれるとともに、書き込み速度の約１／５倍の速度で順番に読み出される。なお、この書き込みおよび読み出しは、図３により説明したように行われる。
【００４２】
また、このとき、ＲＦアンプ３９の出力信号がアドレスデコーダ４０に供給され、プリグルーブからの絶対アドレス信号が抽出されてデコードされ、この絶対アドレス信号がＥＦＭおよびＣＩＲＣエンコード／デコード回路３７を通じてシステムコントローラ２０に供給され、サーボ制御回路５における光ピックアップ４のディスク半径方向の再生位置の制御に使用される。また、システムコントローラ２０においては、再生信号からセクタ単位のアドレス情報も抽出され、光ピックアップ４の再生位置の管理に使用される。
【００４３】
こうして、バッファメモリ３５からは、データ伸長されたデジタルオーディオデータが連続して読み出される。そして、この読み出されたデジタルオーディオデータが、メモリコントローラ３４を通じて音声圧縮エンコード／デコード回路３３に供給されてもとのデジタルオーディオデータにデータ伸長され、このデジタルオーディオデータがＤ／Ａコンバータ４１に供給されてもとのステレオアナログ信号にＤ／Ａ変換され、このステレオアナログ信号が出力端子４２に取り出される。
【００４４】
［再生開始時］
上記の再生動作に加えて、特にこの発明においては、再生の開始時、次のような処理あるいは動作が実行される。
【００４５】
すなわち、バッファメモリ３５は、メモリコントローラ３４のアドレス処理により図３に示すようなリングバッファRBUFに構成されるものであり、正常時（定常時）には、デジタルオーディオデータの書き込みおよび読み出しが上記のように実行される。
【００４６】
さらに、このリングバッファRBUFには、読み出し可能アドレスＡTHとして、２つの読み出し可能アドレスＡLOと、読み出し可能アドレスＡHIとが用意される。この場合、読み出し可能アドレスＡLOは、再生を開始してから実際に再生音が出力されるまでの時間が短くなるような値、すなわち、読み出しアドレスＡRDとの間隔が比較的狭くなる値である。また、読み出し可能アドレスＡHIは、ディスクからの信号の読み出しに失敗したときに、そのリトライを十分に行うことのできるような値、すなわち、読み出しアドレスＡRDとの間隔が比較的広くなる値である。
【００４７】
そして、停止モードにあるとき、操作キー１０のうちの再生キーを押すと、これがシステムコントローラ２０により検出され、ディスク１からの信号の読み出しが開始される。また、システムコントローラ２０において、ルーチン１００の処理がステップ１０１からスタートし、次にステップ１０２において、メモリコントローラ３４のリングバッファRBUFに対するアドレスＡWR、ＡRDが、初期値に設定される。
【００４８】
続いて、ステップ１０３において、例えば音声圧縮エンコード／デコード回路３３が制御されてエンコード／デコード回路３３からＤ／Ａコンバータ４１にヌルデータが供給され、この結果、このステップ１０３の時点から端子４２に信号は出力されなくなる。すなわち、ミューティングがオンとされる。そして、その後、ステップ１０４において、読み出し可能アドレスＡTHが第１の読み出し可能アドレスＡLOに設定される。
【００４９】
次に、ステップ１１１において、メモリコントローラ３４のリングバッファRBUFに対する書き込みアドレスＡWRが次のアドレスにインクリメントされ、ステップ１１２おいて、このときの書き込みアドレスＡWRが読み出し可能アドレスＡTHに等しいかどうかがチェックされる。今の場合には、ステップ１０４により、ＡTH＝ＡLOとされているので、書き込みアドレスＡWRが読み出し可能アドレスＡLOに達したかどうかがチェックされることになる。
【００５０】
そして、このチェックの結果、書き込みアドレスＡWRが読み出し可能アドレスＡTHに等しくないときには、すなわち、今の場合、書き込みアドレスＡWRが読み出し可能アドレスＡLOに達していないときには、処理はステップ１１２からステップ１１３に進み、このステップ１１３において、ＥＦＭおよびＣＩＲＣエンコード／デコード回路３７から、デコードされたデジタルオーディオデータにエラーがあるかどうかを示すフラグC2PO（厳密には、Ｃ1、Ｃ2系列によるエラー訂正ができないと判断したかどうかを示すデータ）が取り出され、このフラグC2POがチェックされる。
【００５１】
そして、このチェックの結果、エラーのないときには、処理はステップ１１１に戻り、エラーのあるときには、処理はステップ１１３からステップ１１４に進み、このステップ１１４において、読み出し可能アドレスＡTHが第２の読み出し可能アドレスＡHIに設定され、その後、処理はステップ１１１に戻る。
【００５２】
さらに、以上の処理に並行して、ステップ１０２あるいは１１１により設定された書き込みアドレスＡRDに、エラー訂正されたデジタルオーディオデータが１セクタ分だけ書き込まれる。
【００５３】
したがって、以上の結果、再生キーを押すと、ステップ１１１、１１２、１１３（および１１４）が繰り返され、リングバッファRBUFには、エラー訂正されたデジタルオーディオデータが１セクタ分ずつ順に書き込まれていくことになる。ただし、このとき、リングバッファRBUFからのデジタルオーディオデータの読み出しは、まだ、許可されていないとともに、ステップ１０３によりミューティングがオンとされているので、アナログオーディオ信号は出力されていない。
【００５４】
そして、ステップ１１４が実行されなかった場合には、書き込みアドレスＡWRが読み出し可能アドレスＡLOに等しくなったとき、すなわち、読み出し可能アドレスＡLOまでデジタルオーディオデータが書き込まれたとき、これがステップ１１２において判別され、処理はステップ１１２からステップ１２１に進む。
【００５５】
そして、このステップ１２１において、リングバッファRBUFからのデジタルオーディオデータの読み出しが許可され、次にステップ１２２において、リングバッファRBUFから読み出されたデジタルデータが、それまでのヌルデータに代わって音声圧縮エンコード／デコード回路３３に供給されるようになる。
【００５６】
したがって、ミューティングが解除されたことになり、エンコード／デコード回路３３からはデータ伸長されたデジタルオーディオデータが出力され、Ｄ／Ａコンバータ４１からはアナログオーディオ信号が出力されるようになる。そして、その後、処理は定常時の再生処理のルーチン１３０へと進み、上述のように再生が続行される。
【００５７】
そして、今の場合には、リングバッファRBUFの読み出し可能アドレスＡLOまでデジタルオーディオデータが書き込まれたとき、そのアナログオーディオ信号が出力されたのであるから、再生キーを押してから比較的短い時間で、そのオーディオ信号が得られることになる。
【００５８】
そして、ＡTH＝ＡLOの状態でステップ１２１以降が実行されるのは、ステップ１１４が実行されないときであり、これは、読み出し可能アドレスＡLOまでデジタルオーディオデータを蓄積している期間に、ディスク１から読み出した信号のデジタルオーディオデータにエラーがなく、したがって、リトライが発生していないときである。
【００５９】
そして、上記のように、リトライが発生していないときには、読み出し可能アドレスＡTH（＝ＡLO）が小さくても音切れが生じにくいと考えられるので、ステップ１３０以降の再生時、読み出し可能アドレスＡTHが小さくても、問題なく再生を行うことができる。
【００６０】
すなわち、再生の開始時、ディスク１からの信号の読み出しにリトライが発生しなかったときには、リングバッファRBUFの読み出し可能アドレスＡLOまでデジタルオーディオデータが書き込まれたら、リングバッファRBUFからの読み出しが許可されてアナログオーディオ信号が出力されるようになり、再生キーを押してから比較的短い時間で再生音を聞くことができる。また、このとき、ＡTH＝ＡLOであって小さいが、音切れを生じにくい。
【００６１】
一方、ステップ１１４が実行された場合には、書き込みアドレスＡWRが読み出し可能アドレスＡHIに等しくなったとき、すなわち、読み出し可能アドレスＡHIまでデジタルオーディオデータが書き込まれたとき、これがステップ１１２において判別され、処理はステップ１１２からステップ１２１に進む。そして、上記のように、ステップ１２１、１２２が実行され、その後、処理は定常時の再生処理のルーチン１３０へと進み、上述のように再生が続行される。
【００６２】
そして、この場合には、リングバッファRBUFの読み出し可能アドレスＡHIまでデジタルオーディオデータが書き込まれたとき、そのアナログオーディオ信号が出力されたのであるから、再生キーを押してから比較的長い時間で、そのオーディオ信号が得られることになる。
【００６３】
しかし、ＡTH＝ＡHIの状態でステップ１２１以降が実行されるのは、ステップ１１４が実行されたときであり、これは、読み出し可能アドレスＡLOまでデジタルオーディオデータをためている期間に、ディスク１から読み出した信号のデジタルオーディオデータにエラーがあり、リトライが発生しているときである。
【００６４】
そして、上記のように、リトライが発生しているときには、読み出し可能アドレスＡTHを大きくしないと音切れを生じやすいと考えられるので、読み出し可能アドレスＡTHをアドレスＡHIまで大きくしておくことにより、ステップ１３０以降の再生時、音切れを生じにくくすることができる。
【００６５】
すなわち、再生の開始時、ディスク１からの信号の読み出しにリトライが発生するときには、再生キーを押しても再生音が出力されるのは遅くなるが（そのリトライはディスク１の汚れや振動などに起因するものであり、読み出し可能アドレスＡTHが小さいと、音切れを生じやすいと考えられる）、読み出し可能アドレスＡTHを大きくしているので、音切れが生じにくくなる。
【００６６】
こうして、上述の記録再生装置によれば、再生開始時におけるエラーの有無、すなわち、リトライの有無にしたがって読み出し可能アドレスＡTHを変更するようにしているので、ディスク１に汚れや振動のないときには、再生キーを押してから比較的短い時間で再生音を聞くことができる。また、ディスク１に汚れや振動のあるときでも、再生音の得られるようになるまでの時間が長くなるが、音切れを生じにくくなる。
【００６７】
［その他］
上述において、ルーチン１００の処理は、ディスク１に対する再生の開始位置にかかわらず再生が開始されるときごとに実行することができる。また、ディスク１がＣＤであっても、記録時よりも高速のトラック速度にすることにより、この発明を適用することができる。
【００６８】
さらに、ミューティングはＤ／Ａコンバータ４１の後段にミューティング回路を設けて実行することもできる。また、再生キーが押されたら、タイマをスタートさせ、このタイマがタイムオーバーするまでにディスク１からの信号の読み出しにリトライが発生しなければ、読み出し可能アドレスＡTHをアドレスＡLOに設定し、リトライが発生したときには、読み出し可能アドレスＡTHをアドレスＡHIに設定することもできる。
【００６９】
【発明の効果】
この発明によれば、ディスクに汚れや振動のないときには、再生キーを押してから比較的短い時間で再生音を聞くことができ、ディスクに汚れや振動のあるときには、再生音の得られるようになるまでの時間が長くなるが、音切れを生じにくくなる。
【図面の簡単な説明】
【図１】この発明の一形態を示す系統図である。
【図２】この発明の一形態を示すフローチャートである。
【図３】この発明を説明するための模式図である。
【図４】この発明を説明するためのフォーマット図である。
【符号の説明】
１…光ディスク、２…スピンドルモータ、４…光ピックアップ、５…サーボ制御回路、６…送りモータ、２０…システムコントローラ、３２Ａ／Ｄコンバータ、３３…音声圧縮エンコード／デコード回路、３４…メモリコントローラ、３５…バッファメモリ、３６…データエンコード／デコード回路、３７…ＥＦＭおよびＣＩＲＣエンコード／デコード回路、３８…ヘッド駆動回路、３９…ＲＦアンプ、４０…アドレスデコーダ、１００…再生開始ルーチン、RBUF…リングバッファ
【図１】
0004114967.tif 000002
【図２】
0004114967.tif 000003
【図３】
0004114967.tif 000004
【図４】
0004114967.tif 000005